(57)【要約】【課題】設備機器の監視ポイントにおける警報発生および状態変化を含む事象発生の原因追究に要する時間および作業の煩わしさを低減する。【解決手段】設備機器から監視ポイントに関する監視ポイント情報を収集する監視ポイント情報収集部１１と、任意の時刻から過去、あるいは、未来に対して、次に変化する監視ポイントの状況の再生指示を受け付ける操作受付部１５と、監視ポイント情報収集部１１により収集された監視ポイント情報に状態変化有無の情報が付与され、当該監視ポイント情報が収集された時刻とともに時系列に記録された履歴データと、施設内の設定範囲ごとに関連する監視ポイントをグループ化した関連ポイントの情報とに基づき、再生指示に応じて、履歴データのうち、変化があった関連ポイントの履歴データを抽出する関連ポイント履歴抽出部１９とを備えた。【選択図】図１
2017010155.tif 000002
【特許請求の範囲】
【請求項１】
施設内に設置された複数の設備機器を監視する施設監視装置において、
前記設備機器から監視ポイントに関する監視ポイント情報を収集する監視ポイント情報収集部と、
任意の時刻から過去、あるいは、未来に対して、次に変化する監視ポイントの状況の再生指示を受け付ける操作受付部と、
前記監視ポイント情報収集部により収集された監視ポイント情報に状態変化有無の情報が付与され、当該監視ポイント情報が収集された時刻とともに時系列に記録された履歴データと、前記施設内の設定範囲ごとに関連する監視ポイントをグループ化した関連ポイントの情報とに基づき、前記再生指示に応じて、前記履歴データのうち、変化があった前記関連ポイントの履歴データを抽出する関連ポイント履歴抽出部
とを備えた施設監視装置。
【請求項２】
前記操作受付部が、前記任意の時刻から過去に対して、次に変化する監視ポイントの状況の再生指示を受け付けた場合、
前記関連ポイント履歴抽出部は、前記任意の時刻より前の前記履歴データのうち、前記任意の時刻の直前に変化があった前記関連ポイントの履歴データを抽出する
ことを特徴とする請求項１記載の施設監視装置。
【請求項３】
前記操作受付部が、前記任意の時刻から未来に対して、次に変化する監視ポイントの状況の再生指示を受け付けた場合、
前記関連ポイント履歴抽出部は、前記任意の時刻より後の前記履歴データのうち、前記任意の時刻の直後に変化があった前記関連ポイントの履歴データを抽出する
ことを特徴とする請求項１記載の施設監視装置。
【請求項４】
前記監視ポイントにおける警報発生及び状態変化を含む事象の発生を印字し、表示部に表示させる履歴印字部をさらに備え、
前記操作受付部は、前記履歴印字部が表示させた前記監視ポイントにおける警報発生及び状態変化を含む事象の発生時刻から過去、あるいは、未来に対して、次に変化する監視ポイントの状況の再生指示を受け付ける
ことを特徴とする請求項１から請求項３のうちのいずれか１項記載の施設監視装置。
【請求項５】
前記関連ポイント履歴抽出部が抽出した履歴データおよび前記施設内のフロアにおける前記設備機器の構成を模式的に表わしたグラフィックデータに基づいて表示画面を生成する画面生成部をさらに備えた
ことを特徴とする請求項１から請求項４のうちのいずれか１項記載の施設監視装置。
【請求項６】
施設内に設置された複数の設備機器を監視する施設監視装置による施設監視方法において、
監視ポイント情報収集部が、前記設備機器から監視ポイントに関する監視ポイント情報を収集するステップと、
操作受付部が、任意の時刻から過去、あるいは、未来に対して、次に変化する監視ポイントの状況の再生指示を受け付けるステップと、
関連ポイント履歴抽出部が、前記監視ポイント情報収集部により収集された監視ポイント情報に状況変化有無の情報が付与され、収集された時刻とともに時系列に記録された履歴データと、前記施設内の設定範囲ごとに関連する監視ポイントをグループ化した関連ポイントの情報とに基づき、前記再生指示に応じて、前記履歴データのうち、変化があった前記関連ポイントの履歴データを抽出するステップ
とを備えた施設監視方法。
【発明の詳細な説明】
【技術分野】
【０００１】
この発明は、グラフィックデータ（サマリグラフデータ）を利用して施設内の複数の設備機器を監視する施設監視装置および当該施設監視装置による施設監視方法に関するものである。
【背景技術】
【０００２】
施設監視において、施設内の各設備機器の状態を平面図などの絵とあわせて表示する機能（以下、ここでは、グラフィック機能という）がある。グラフィック機能は、現在の状態表示とともに、過去の状態を表示することも可能である。
そこで、例えば、特許文献１には、当該グラフィック機能を用いて、過去の任意の時間や事象が発生した時間から時間を進める・戻すことを可能とし、その前後の時間帯での各機器の状態を確認する技術が開示されている。
【先行技術文献】
【特許文献】
【０００３】
【特許文献１】特開２０１４−２０６８１６号公報
【発明の概要】
【発明が解決しようとする課題】
【０００４】
しかしながら、例えば、警報等の事象発生の原因を調べる場合、特許文献１に開示されているような、過去に時間を遡って再現し、機器の変化を確認する方法では、遡り再現する時間がかかってしまうという課題があった。また、作業者は、遡り再現させたグラフィックから、必要な変化ポイントの時点を判断しなければならないという課題があった。
例えば、警報の原因となった監視ポイントａの変化から警報の原因を追究しようとする場合、当該警報の原因となった監視ポイントａの変化が、当該監視ポイントａに関連する他の監視ポイントｂの変化から引き起こされたものである場合、当該関連する他の監視ポイントｂの変化の原因を突き止めなければならない。しかしながら、当該関連する他の監視ポイントｂの変化の他にも、警報の原因となった監視ポイントａとは関連しない監視ポイントｃで変化が起こっていた場合、当該監視ポイントｃの変化も遡り再現することになり、また、作業者は、監視ポイントｃの変化は今回の警報には関連しないという判断をして、監視ポイントｂの変化までたどり着く必要がある。
このように、従来の技術では、追跡したい監視ポイントの変化のみ、すなわち、上述の例でいうと監視ポイントａと監視ポイントｂの変化のみを再現することができず、必要のない監視ポイント、すなわち、上述の例でいうと監視ポイントｃの変化まで再現することにより、遡り再現するための時間がかかってしまうという。また、作業者は、警報の原因を調べるために必要な監視ポイントの状態の変化の情報を取捨選択する必要があり、作業の煩わしさがある。
【０００５】
この発明は、上記のような課題を解決するためになされたもので、関連する監視ポイントを管理し、警報発生時に、当該関連する監視ポイントのうち、次に状態が変化する監視ポイントの状態を表示させることで、設備機器の監視ポイントにおける警報発生および状態変化を含む事象発生の原因追究に要する時間および作業の煩わしさを低減する施設監視装置および施設監視方法を提供することを目的としている。
【課題を解決するための手段】
【０００６】
この発明に係る施設監視装置は、施設内に設置された複数の設備機器を監視する施設監視装置において、設備機器から監視ポイントに関する監視ポイント情報を収集する監視ポイント情報収集部と、任意の時刻から過去、あるいは、未来に対して、次に変化する監視ポイントの状況の再生指示を受け付ける操作受付部と、監視ポイント情報収集部により収集された監視ポイント情報に状態変化有無の情報が付与され、当該監視ポイント情報が収集された時刻とともに時系列に記録された履歴データと、施設内の設定範囲ごとに関連する監視ポイントをグループ化した関連ポイントの情報とに基づき、再生指示に応じて、履歴データのうち、変化があった前記関連ポイントの履歴データを抽出する関連ポイント履歴抽出部とを備えたものである。
【発明の効果】
【０００７】
この発明によれば、上記のように構成したので、設備機器の監視ポイントにおける警報発生および状態変化を含む事象発生の原因追究に要する時間および作業の煩わしさを低減することができる。
【図面の簡単な説明】
【０００８】
【図１】この発明の実施の形態１に係る施設監視装置の構成を示す図である。
【図２】この発明の実施の形態１に係る施設監視装置における履歴データ記録ステップの動作を説明するフローチャートである。
【図３】この実施の形態１において、履歴データ記録部に記録される履歴データの一例を説明する図である。
【図４】この発明の実施の形態１に係る施設監視装置における事象発生時状況標示ステップの動作を説明するフローチャートである。
【図５】実施の形態１において、履歴印字部が表示部に表示させる警報発生の監視ポイント情報の一例を説明する。
【図６】この実施の形態１において、グラフィックデータ記録部が記録しているグラフィックデータの一例を説明する図である。
【図７】ステップＳＴ４０６において画面生成部が作成する表示画面の一例を説明する図である。
【図８】実施の形態１において、関連ポイント記録部に記録される関連ポイント情報の一例を説明する図である。
【図９】ステップＳＴ４１０において画面生成部が作成する表示画面の一例を説明する図である。
【図１０】この実施の形態１に係る施設監視装置のハードウェア構成を説明する図である。
【発明を実施するための形態】
【０００９】
以下、この発明の実施の形態について図面を参照しながら詳細に説明する。
実施の形態１．
図１は、この発明の実施の形態１に係る施設監視装置１の構成を示す図である。
施設監視装置１は、施設内に設置された複数の設備機器（図示省略）を監視するものである。この施設監視装置１は、図１に示すように、監視ポイント情報収集部１１、変化有無判定部１２、履歴データ記録部１３、履歴印字部１４、操作受付部１５、履歴データ取得部１６、グラフィックデータ取得部１７、グラフィックデータ記録部１８、関連ポイント履歴抽出部１９、関連ポイント記録部２０、画面生成部２１、表示部２２から構成されている。
【００１０】
なお、ここでは、施設監視装置１が、履歴データ記録部１３、グラフィックデータ記録部１８、関連ポイント記録部２０を備えるようにしたが、これに限らず、履歴データ記録部１３、グラフィックデータ記録部１８、関連ポイント記録部２０は、施設監視装置１の外部に備えるようにしてもよい。また、ここでは、施設監視装置１が、表示部２２を備え、施設の監視状況を表示するようにしたが、これに限らず、外部の表示装置に施設の監視状況を表示させるようにしてもよい。
【００１１】
監視ポイント情報収集部１１は、設備機器から、予め監視対象として定義している所定の監視ポイントに関する情報（監視ポイント情報）を、定期的に収集するものである。監視ポイント情報には、少なくとも、設備、監視ポイント、監視ポイントの状態に関する情報が含まれる。
変化有無判定部１２は、監視ポイント情報収集部１１が監視ポイント情報を収集した監視ポイントの状態について、それまでに記録されていた最新の監視ポイント情報から変化があったかどうかを判定し、当該判定した変化有無の情報を付与して、履歴データ記録部１３に監視ポイント情報を記録させる。なお、ここでは、設備機器の状態の変化とは、例えば、設備機器の停止、設定温度の変更等の状態変化や警報の発生等を含む事象の発生をいう。
また、変化有無判定部１２は、監視ポイントの状態に変化があったと判定した場合、当該変化があったと判定した監視ポイント情報を、履歴印字部１４に出力する。
【００１２】
履歴データ記録部１３は、監視ポイント情報収集部１１により定期的に収集され、変化有無判定部１２により状態の変化有無の情報が付与された監視ポイント情報を、収集された時刻とともに時系列に履歴データとして記録する。
【００１３】
履歴印字部１４は、変化有無判定部１２から出力された監視ポイント情報に基づき、監視ポイントにおける警報の発生および状態変化を含む事象の発生を印字し、表示部２２に表示させる。
操作受付部１５は、作業者による、例えば、履歴印字部１４により印字、表示された事象の選択や、関連ポイント再生指示等、各種操作を受け付ける。
【００１４】
履歴データ取得部１６は、操作受付部１５により受け付けられた事象に応じて、履歴データ記録部１３から対応する履歴データを取得する。具体的には、履歴データ取得部１６は、例えば、操作受付部１５から受け付けた事象の情報を取得し、当該取得した事象の情報に含まれる事象の発生時刻の履歴データを、履歴データ取得部１６から取得する。履歴データ取得部１６は、取得した履歴データをグラフィックデータ取得部１７に出力する。
また、このとき、履歴データ取得部１６は、取得した履歴データを、画面表示されている最新の履歴データとして、関連ポイント情報とともに、自身の空きスペース、あるいは、施設監視装置１の空きスペースに一時保存する。
【００１５】
グラフィックデータ取得部１７は、履歴データ取得部１６により取得された履歴データに対応するグラフィックデータを、グラフィックデータ記録部１８から取得する。また、グラフィックデータ取得部１７は、関連ポイント履歴抽出部１９により抽出された関連ポイントの履歴データに対応するグラフィックデータを、グラフィックデータ記録部１８から取得する。
グラフィックデータ記録部１８は、施設内の所定のフロアにおける設備機器の構成を模式的に表したグラフィックデータ（サマリグラフデータ）を記録するものである。
【００１６】
関連ポイント履歴抽出部１９は、操作受付部１５が受け付けた次の変化ポイント再生指示に応じて、履歴データ記録部１３と関連ポイント記録部２０とを参照し、次に変化する履歴データのうち、関連ポイントに関する直近の履歴データを抽出する。
具体的には、関連ポイント履歴抽出部１９は、操作受付部１５が、「過去方向の次の変化ポイント表示ボタン」の操作を受け付けた場合は、履歴データ記録部１３に記録された、現在表示中の事象発生時刻より前の履歴データのうち、現在表示中の事象が発生した監視ポイントと関連する監視ポイントに関する変化有の履歴データであって、かつ、事象発生時刻の直近の履歴データを抽出する。
一方、操作受付部１５が、「未来方向の次の変化ポイント表示ボタン」の操作を受け付けた場合は、履歴データ記録部１３に記録された、現在表示中の事象発生時刻より後の履歴データのうち、現在表示中の事象が発生した監視ポイントと関連する監視ポイントに関する変化有の履歴データであって、かつ、事象発生時刻の直後の履歴データを抽出する。
【００１７】
関連ポイント記録部２０は、施設内の所定の範囲ごとに関連する監視ポイントをグループ化し、関連ポイントとして記録する。ここでは、施設内の所定のフロアごとに、当該フロアに設置された設備機器の監視ポイントを、関連ポイントとして記録する。なお、関連ポイント記録部２０で記録される関連ポイントの情報を、関連ポイント情報とする。
【００１８】
画面生成部２１は、履歴データ取得部１６により取得された履歴データ及びグラフィックデータ取得部１７により取得されたグラフィックデータに基づいて表示画面を生成する。画面生成部２１は、生成した表示画面を、表示部２２に表示させる。
表示部２２は、画面生成部２１が生成した表示画面を表示する。
【００１９】
動作について説明する。
この発明の実施の形態１に係る施設監視装置１の動作は通常時において、各設備機器から、予め監視対象として定義している所定の監視ポイント情報を定期的に収集し、履歴データとして記録しておく履歴データ記録ステップと、例えば、設備機器において警報が発生した場合等、監視ポイントに何等かの事象が発生した場合に、作業者が当該事象発生時の監視ポイントの状況を表示画面で確認し、当該事象発生の原因を追究するための、事象発生時状況表示ステップとに分けられる。
【００２０】
まず、履歴データ記録ステップについて説明する。
図２は、この発明の実施の形態１に係る施設監視装置１における履歴データ記録ステップの動作を説明するフローチャートである。なお、以下説明する図２の履歴データ記録ステップは、定期的に行われる。周期については、予め設定しておくようにすればよい。
【００２１】
監視ポイント情報収集部１１は、設備機器から、予め監視対象として定義している所定の監視ポイント情報を収集する（ステップＳＴ２０１）。監視ポイント情報には、少なくとも、設備機器が設置される施設内の所定のフロア、監視ポイント、設備機器の状態に関する情報が含まれる。
【００２２】
変化有無判定部１２は、履歴データ記録部１３を参照し、ステップＳＴ２０１で監視ポイント情報収集部１１が監視ポイント情報を収集した監視ポイントの状態について、それまでに記録されていた最新の監視ポイント情報から変化があったかどうかを判定し（ステップＳＴ２０２）、当該判定した変化有無の情報を付与して、履歴データ記録部１３に監視ポイント情報を記録させる（ステップＳＴ２０３）。なお、ここでは、設備機器の状態の変化とは、例えば、設備機器の停止、設定温度の変更等の状態変化や警報の発生等を含む事象の発生をいう。
例えば、施設内の所定のフロアを「４０１会議室」、「４０１会議室」に設備機器「空調機」が設置され、当該「空調機」の「設定温度」が予め監視ポイントとして定義されているとすると、定期的に収集している４０１会議室の空調機の設定温度について、２１度から２６度に設定変更されたような場合、変化有無判定部１２は、当該設定変更を、監視ポイントの状態に変化があったものと判定し、変化「有」の情報を付与して、履歴データ記録部１３に、取得した設定温度が２６度の監視ポイント情報を記録させる。
【００２３】
ここで、図３は、この実施の形態１において、履歴データ記録部１３に記録される履歴データの一例を説明する図である。
履歴データは、図３に示すように、少なくとも、設備機器が設置される施設内の所定のフロアと設備機器と監視ポイントと監視ポイントの状態に関する情報とを含む監視ポイント情報に、変化有無判定部１２が判定した変化有無の情報が付与され、監視ポイント情報が収集された時刻とともに時系列に記録されている。なお、図３では、説明の便宜上、変化有無の情報を「有」「無」で記載しているが、これに限らず、「１（有）」「０（無）」等、フラグや区分で情報を管理するものであってもよい。
また、変化有無判定部１２は、監視ポイント情報に変化があったと判定した場合、当該変化があったと判定した監視ポイント情報を、履歴印字部１４に出力する。
履歴印字部１４が、変化有無判定部１２が出力した、変化があった監視ポイントの監視ポイント情報を取得した後の動作については、事象発生時状況表示ステップの動作説明で説明する。
【００２４】
次に、事象発生時状況表示ステップについて説明する。
図４は、この発明の実施の形態１に係る施設監視装置１における事象発生時状況表示ステップの動作を説明するフローチャートである。なお、以下、事象発生の例として、２０１５／０６／０１  ９：００に、施設内の「４０１会議室」に設置された「空調機」の監視ポイントＡにおいて、警報の発生があり、作業者が、当該警報の原因追究を行う場合を例に説明する。
【００２５】
監視対象の設備機器の監視ポイントにおいて、警報が発生すると、監視ポイント情報収集部１１は、当該警報発生の監視ポイント情報を収集し（ステップＳＴ４０１）、当該監視ポイント情報を履歴印字部１４に出力する。なお、図４では省略しているが、ステップＳＴ４０１で監視ポイント情報収集部１１が収集した警報発生の監視ポイント情報は、その収集時刻と、監視ポイントの状態の変更有の情報と紐付けられ、履歴データ記録部１３に記録される。
【００２６】
履歴印字部１４は、ステップＳＴ４０１で監視ポイント情報収集部１１から出力された警報発生の監視ポイント情報を、表示部２２に表示させる（ステップＳＴ４０２）。
ここで、図５は、履歴印字部１４が表示部２２に表示させる警報発生の監視ポイント情報の一例を説明する。
履歴印字部１４は、図５に示すように、監視ポイントにおいて事象が発生するたびに、その内容（事象の重要度、事象の発生時刻、事象の内容、事象が発生した設備機器の識別番号、設備機器名や運転状態など）を印字し、表示部２２に一覧表示させる。ここでは、例えば、図５の（ａ）で示す内容が、「４０１会議室」に設置された「空調機」の監視ポイントＡにおいて、警報の発生があった旨の情報を表示しているものとする。
なお、この時、履歴印字部１４は、図５に示すように、選択ボタンを表示させるようにする。作業者は、事象の発生を検知すると、表示部２２に表示された一覧を確認し、当該選択ボタンをクリックする等操作することで、事象が発生した時刻の監視ポイントの状況を表示させ、確認する。
【００２７】
操作受付部１５は、作業者による、履歴印字部１４により印字され、表示された事象の選択を受け付けるのを待機し（ステップＳＴ４０３の“ＮＯ”の場合）、作業者による、履歴印字部１４により印字され、表示された事象の選択を受け付けると（ステップＳＴ４０３の“ＹＥＳ”の場合）、履歴データ取得部１６は、操作受付部１５により受け付けられた事象に応じて、履歴データ記録部１３から対応する履歴データを取得する（ステップＳＴ４０４）。具体的には、履歴データ取得部１６は、例えば、操作受付部１５から、受け付けた事象の情報を取得し、当該取得した事象の情報に含まれる事象の発生時刻の履歴データを、履歴データ取得部１６から取得する。
ここでは、図５の（ａ）で表示された情報が選択されたものとすると、履歴データ取得部１６は、２０１５／０６／０１  ９：００の履歴データを、履歴データ記録部１３から取得する。
【００２８】
また、履歴データ取得部１６は、ステップＳＴ４０４において、事象発生時刻と事象が発生した監視ポイント（事象発生監視ポイント）の情報とを、例えば、施設監視装置１の空きスペースに一時記憶させておく。事象が発生した監視ポイントの情報は、取得した履歴データから特定できる。
【００２９】
次いで、グラフィックデータ取得部１７は、ステップＳＴ４０４において履歴データ取得部１６により取得された履歴データに対応するグラフィックデータを、グラフィックデータ記録部１８から取得する（ステップＳＴ４０５）。
ここで、図６は、この実施の形態１において、グラフィックデータ記録部１８が記録しているグラフィックデータの一例を説明する図である。
グラフィックデータ記録部１８は、図６に示すような、施設内の所定のフロアにおける設備機器の構成を模式的に表わしたグラフィックデータ（サマリグラフデータ）を予め記録している。なお、図６では、説明の便宜上、「４０１会議室」、「４０２会議室」、「実験室」に関するグラフィックデータを一度に表示しているが、実際は、それぞれのフロアごとにグラフィックデータを記録している。
【００３０】
次いで、画面生成部２１は、履歴データ取得部１６により取得された履歴データ及びグラフィックデータ取得部１７により取得されたグラフィックデータに基づいて表示画面を生成し、表示部２２に表示させる（ステップＳＴ４０６）。
【００３１】
図７は、ステップＳＴ４０６において画面生成部２１が作成する表示画面の一例を説明する図である。
図７に示すように、画面生成部２１は、履歴データとあわせて、該当の設備機器に関するグラフィックデータ（サマリグラフデータ）も取得し、このサマリグラフ上に履歴データが示す設備機器の状態を数値変化や色変化などを用いて表示する表示画面を生成する。
また、画面生成部２１は、過去の任意の事象発生時刻から過去方向に対して次に状態が変化した監視ポイントの情報を示す指示を行うための「過去方向の次の変化ポイント表示ボタン」（図７の（ａ））と、過去の任意の事象発生時刻から未来方向に対して次に状態変化した監視ポイントの情報を示す指示を行うための「未来方向の次の変化ポイント表示ボタン」（図７の（ｂ））を表示する表示画面を生成する。
また、画面生成部２１は、上記二つのボタンの他に、従来技術同様、過去の任意の時間や事象が発生した時刻から時間を進める・戻すためのボタンを表示させるようにしてもよいし（図７の（ｃ））、事象発生時刻、すなわち、ここでは、警報発生時刻を表示させるようにしてもよい（図７の（ｄ））。
【００３２】
作業者は、図７に示すような画面を確認し、事象発生の前後に変化した監視ポイントの状況を表示させ、状況確認を行うことで、事象発生の原因追究を行う。
なお、図７の（ｃ）のように、時間を進める・戻すためのボタンを表示させ、当該ボタンの受け付けを可能とすることで、例えば、作業者が、さかのぼり再生することで、監視ポイントの状況を把握したい場合には、従来技術のように、任意の時刻から連続再生して監視ポイントの状況を確認するようにすることもできる。
なお、当該時間を進める・戻すためのボタンの操作が行われた場合は、操作受付部１５が当該操作を受け付け、操作の情報を履歴データ取得部１６に出力し、履歴データ取得部１６が、進められた、あるいは、戻された時点の時刻の履歴データを履歴データ記録部１３から取得し、グラフィックデータ取得部１７、画面生成部２１に出力し、画面生成部２１が、表示部２２に履歴データを表示させるようにすればよい（ステップＳＴ４０４〜４０６参照）。
ここでは、作業者は、次の変化ポイント再生指示を選択して、警報発生の前、あるいは、次に状態が変化した監視ポイントの状態を画面表示させて原因追究を行うものとする。
【００３３】
操作受付部１５は、次の変化ポイント再生指示を受け付けたかどうかを判断する（ステップＳＴ４０７）。
作業者は、図７に示すような、事象発生時の履歴データの確認を行うと、「過去方向の次の変化ポイント表示ボタン」、あるいは、「未来方向の次の変化ポイント表示ボタン」を操作することで、事象発生時刻から過去に遡った方向に対して事象発生の直前、あるいは、未来に進んだ方向に対して事象発生直後に変化した監視ポイントの状態を表示させる指示（次の変化ポイント再生指示）を行うことができる。
このステップＳＴ４０７で、操作受付部１５は、当該次の変化ポイント再生指示を受け付けたかどうかを判断する。
【００３４】
ステップＳＴ４０７において、次の変化ポイント再生指示を受け付けない場合（ステップＳＴ４０７の“ＮＯ”の場合）は、一定期間、次の変化ポイント再生指示の受け付けを待機し（ステップＳＴ４１１の“ＮＯ”の場合）、一定期間経過した場合（ステップＳＴ４１１の“ＹＥＳ”の場合）、次の変化ポイントの再生は必要ないものとして、処理を終了する。
【００３５】
ステップＳＴ４０７において、次の変化ポイント再生指示を受け付けた場合（ステップＳＴ４０７の“ＹＥＳ”の場合）、操作受付部１５は、受け付けた次の変化ポイント再生指示の情報を関連ポイント履歴抽出部１９に出力し、関連ポイント履歴抽出部１９は、操作受付部１５が受け付けた次の変化ポイント再生指示に応じて、履歴データ記録部１３と関連ポイント記録部２０とを参照し、次に変化する履歴データのうち、関連ポイントに関する直近の履歴データを抽出する（ステップＳＴ４０８）。
具体的には、関連ポイント履歴抽出部１９は、操作受付部１５が、「過去方向の次の変化ポイント表示ボタン」の操作を受け付けた場合は、履歴データ記録部１３に記録された、現在表示中の事象発生時刻より前の履歴データのうち、現在表示中の事象が発生した監視ポイントと関連する監視ポイントに関する変化有の履歴データであって、かつ、事象発生時刻の直近の履歴データを抽出する。
【００３６】
一方、操作受付部１５が、「未来方向の次の変化ポイント表示ボタン」の操作を受け付けた場合は、履歴データ記録部１３に記録された、現在表示中の事象発生時刻より後の履歴データのうち、現在表示中の事象が発生した監視ポイントと関連する監視ポイントに関する変化有の履歴データであって、かつ、事象発生時刻の直後の履歴データを抽出する。
【００３７】
ステップＳＴ４０８の動作について、例をあげて説明する。
ここでは、ステップＳＴ４０６において、２０１５／０６／０１  ９：００に、施設内の「４０１会議室」に設置された「空調機」の監視ポイントＡで警報が発生した際の状況を表示部２２に表示させ、作業者は、当該表示部２２を確認して、「過去方向の次の変化ポイント表示ボタン」を操作したものとする。
また、履歴データ記録部１３には、図３に示す内容が記録されているものとし、関連ポイント記録部２０には、図８に示す内容が記録されているものとする。
すなわち、この実施の形態１では、図８に示すように、関連ポイント記録部２０には、施設内の所定のフロアごとに、当該フロアに設置された設備機器の監視ポイントが、関連ポイントとしてグループ分けされているものとする。
【００３８】
操作受付部１５が受け付けた「過去方向の次の変化ポイント表示ボタン」操作の情報を受け、関連ポイント履歴抽出部１９は、まず、関連ポイント記録部２０を参照し、現在表示中の事象が発生した監視ポイントと関連する関連ポイントを抽出する。すなわち、監視ポイントＡと関連する関連ポイントを抽出する。なお、現在表示中の事象が発生した監視ポイントの情報は、ステップＳＴ４０４において、履歴データ取得部１６が一時的に保存させた事象発生監視ポイントの情報から特定できる。
ここでは、関連ポイント履歴抽出部１９は、関連ポイントとして、監視ポイントＢ，Ｄ，Ｃを抽出する。
【００３９】
次に、関連ポイント履歴抽出部１９は、履歴データ記録部１３を参照し、事象発生時刻、すなわち、２０１５／０６／０１  ９：００：００より前の履歴データを時系列に遡り、監視ポイントＢ，Ｄ，Ｃに関する変化有の履歴データを検索し、該当のデータが検索できた場合、当該履歴データを抽出する。
図３の履歴データを２０１５／０６／０１  ９：００：００から時系列に遡ると、まず、２０１５／０６／０１  ６：２５：００の実験室における監視ポイントＦの変化有の履歴データが検索できる。
しかしながら、監視ポイントＦは、監視ポイントＡの関連ポイントではない。したがって、関連ポイント履歴抽出部１９は、当該監視ポイントＦの履歴データは抽出せず、さらに履歴データを遡る。そして、２０１５／０６／０１  ６：０１：００の４０１会議室における監視ポイントＢの履歴データが検索できる。監視ポイントＢは、監視ポイントＡの関連ポイントである。しかしながら、当該監視ポイントＢの履歴データは、変化有の履歴データではないため、関連ポイント履歴抽出部１９は、当該履歴データについても抽出しない。
さらに履歴データを遡ると、２０１５／０６／０１  ６：００：００の４０１会議室における監視ポイントＣの変化有の履歴データが検索できる。そこで、関連ポイント履歴抽出部１９は、当該監視ポイントＣの履歴データを抽出する。
【００４０】
関連ポイント履歴抽出部１９は、抽出した履歴データをグラフィックデータ記録部１８に抽出する。また、関連ポイント履歴抽出部１９は、抽出した履歴データの時刻と、監視ポイントの情報とを、それぞれ、関連ポイント最新時刻、最新関連ポイント情報として、施設監視装置１の空きスペースに記憶させておく。
【００４１】
なお、ここでは、監視ポイントＣの履歴データのみが該当する履歴データとして抽出されるものとしたが、同時刻に変化有の関連ポイントの履歴データが複数存在する場合は、関連ポイント履歴抽出部１９は、該当する全ての関連ポイントの履歴データを抽出するものとする。
【００４２】
図４のフローチャートに戻る。
グラフィックデータ取得部１７は、ステップＳＴ４０８において関連ポイント履歴抽出部１９により取得された履歴データに対応するグラフィックデータを、グラフィックデータ記録部１８から取得する（ステップＳＴ４０９）。具体的な動作については、ステップＳＴ４０５と同様であるため、重複した説明を省略する。
【００４３】
次いで、画面生成部２１は、関連ポイント履歴抽出部１９により取得された履歴データ及びグラフィックデータ取得部１７により取得されたグラフィックデータに基づいて表示画面を生成し、表示部２２に表示させる（ステップＳＴ４１０）。具体的な動作については、ステップＳＴ４０６と同様であるため、重複した説明を省略する。
【００４４】
図９は、ステップＳＴ４１０において画面生成部２１が作成する表示画面の一例を説明する図である。
ステップＳＴ４０６において図７を用いて説明した表示画面同様、図９に示すように、画面生成部２１は、履歴データとあわせて、該当の設備機器に関するグラフィックデータ（サマリグラフデータ）も取得し、このサマリグラフ上に履歴データが示す設備機器の状態を数値変化や色変化などを用いて表示する表示画面を生成する。
また、画面生成部２１は、過去の任意の事象発生時間から過去方向に対して次に変化した監視ポイントの情報を示す指示を行うための「過去方向の次の変化ポイント表示ボタン」（図９の（ａ））と、過去の任意の事象発生時間から未来方向に対して次に変化した監視ポイントの情報を示す指示を行うための「未来方向の次の変化ポイント表示ボタン」（図９の（ｂ））を表示する表示画面を生成する。
【００４５】
また、画面生成部２１は、上記二つのボタンの他に、従来技術同様、過去の任意の時間や事象が発生した時間から時間を進める・戻すためのボタンを表示させるようにしてもよいし（図９の（ｃ））、事象発生時刻、すなわち、ここでは、警報発生時刻を表示させるようにしてもよい（図９の（ｄ））。
さらに、このステップＳＴ４１０では、現在表示中の関連ポイントの履歴データの収集時刻、すなわち、ステップＳＴ４０８において関連ポイント履歴抽出部１９が抽出した関連ポイントの履歴データの収集時刻を、あわせて表示させるようにしてもよい（図９の（ｅ））。このように、警報発生時刻および表示中の関連ポイントの履歴データの収集時刻を表示するようにすることで、警報発生時刻からどれぐらい前、あるいは、どれぐらい後に関連ポイントで変化があったかを瞬時に把握することができる。これにより、例えば、両時刻の間の監視ポイントの状況を調査したい場合でも、図９（ｃ）によって、どれぐらいの時間進める、あるいは、戻す操作を行えばいいかの判断の一助とすることができる。
【００４６】
ステップＳＴ４１０において、表示部２２に表示画面を表示させると、ステップＳＴ４０７に戻る。
作業者は、事象発生の原因追究の際には、例えば、一旦過去に遡って表示させた監視ポイントの状況を確認すると、当該確認を行った時点から、さらに過去方向に遡って次に変化した監視ポイントの状況の確認、あるいは、未来方向に時間を進めて次に変化した監視ポイントの状況の確認を行うことがある。
【００４７】
その場合、ステップＳＴ４０７で再び「過去方向の次の変化ポイント表示ボタン」、あるいは、「未来方向の次の変化ポイント表示ボタン」の操作を受け付け、以降の処理を繰り返すことで、現在表示させている関連ポイントの時刻からの過去方向、あるいは、未来方向において、現在表示させた関連ポイントの関連ポイントの履歴データであって、かつ、次に変化した直近の履歴データを抽出し（ステップＳＴ４０８）、表示部２２に表示させる（ステップＳＴ４０９，４１０）ことができる。
なお、現在表示させている関連ポイントの履歴データの時刻および当該関連ポイントの情報は、関連ポイント最新時刻、最新関連ポイント情報として一時記憶されているので、当該一時記憶された情報に基づき、関連ポイント履歴抽出部１９は、現在表示させている関連ポイントの時刻からの過去方向、あるいは、未来方向において、現在表示させた関連ポイントの関連ポイントの履歴データであって、かつ、次に変化した直近の履歴データを特定し、抽出することができる。
【００４８】
また、この実施の形態１では、上述したように、ステップＳＴ４０８において、次に変化する履歴データのうち関連ポイントに関する直近の履歴データが存在するものとして説明したが、該当の直近の履歴データが存在しない場合もあり得る。その場合は、関連ポイント履歴抽出部１９は、該当の直近の履歴データが存在しない旨の情報を画面生成部２１に出力し、画面生成部２１において、例えば、「該当データなし」等のメッセージを表示部２２に表示させるようにすることもできる。
【００４９】
このように、この実施の形態１では、警報発生等の事象発生時に、事象発生時刻、あるいは、特定の時刻から、過去方向に遡って、あるいは、未来方向に進んで、次に変化する関連ポイントの履歴データを抽出し、表示することができるため、従来技術のように、次に変化する関連ポイントの状況が表示されるまで連続的に再生する必要がなく、さかのぼり再現する時間および手間を省くことができる。これにより、作業者は、関連するポイントの変化の有無を速やかに視聴的に確認でき、事象発生の原因調査を速やかに進めることができる。
【００５０】
なお、この実施の形態１では、グラフィックの中で主たる設備の絵として区切られた範囲、すなわち、施設内の所定のフロアごとに、監視ポイントを関連する監視ポイント（関連ポイント）としてグループ分けするようにしたが、これに限らない。例えば、制御プログラムの入出力に使用する監視ポイントを関連ポイントとしてもよいし、作業者の任意の知識に基づいて関連ポイントを定義するようにしてもよい。
【００５１】
図１０は、この実施の形態１に係る施設監視装置１のハードウェア構成を説明する図である。
この発明の実施の形態１において、履歴データ記録部１３、グラフィックデータ記録部１８、関連ポイント記録部２０は、ＨＤＤ１０１を使用する。なお、これは一例にすぎず、履歴データ記録部１３、グラフィックデータ記録部１８、関連ポイント記録部２０は、ＤＶＤ、メモリ９２等によって構成されるものであってもよい。
監視ポイント情報収集部１１は、通信Ｉ／Ｆ装置１０６を使用する。
変化有無判定部１２、履歴印字部１４、履歴データ取得部１６、グラフィックデータ取得部１７、関連ポイント履歴抽出部１９、画面生成部２１は、ＨＤＤ１０１、メモリ１０２等に記憶されたプログラムを実行するＣＰＵ１０３、システムＬＳＩ等の処理回路により実現される。また、複数の処理回路が連携して上記機能を実行してもよい。
操作受付部１５は、マウス１０５やキーボードを使用する。なお、これは一例にすぎず、操作受付部１５は、そのほかのハードウェアによって構成されるものであってもよい。
表示部２２は、モニタ１０４を使用する。なお、これは一例にすぎず、表示部２２は、そのほかのハードウェアによって構成されるものであってもよい。
【００５２】
以上のように、この実施の形態１によれば、設備機器から監視ポイントに関する監視ポイント情報を収集する監視ポイント情報収集部１１と、任意の時刻から過去、あるいは、未来に対して、次に変化する監視ポイントの状況の再生指示を受け付ける操作受付部１５と、監視ポイント情報収集部１１により収集された監視ポイント情報に状態変化有無の情報が付与され、当該監視ポイント情報が収集された時刻とともに時系列に記録された履歴データと、施設内の設定範囲ごとに関連する監視ポイントをグループ化した関連ポイントの情報とに基づき、再生指示に応じて、履歴データのうち、変化があった関連ポイントの履歴データを抽出する関連ポイント履歴抽出部１９とを備えるように構成したので、設備機器の監視ポイントにおける警報発生および状態変化を含む事象発生の原因追究に要する時間および作業の煩わしさを低減することができる。
【００５３】
なお、この発明の実施の形態１において、施設監視装置１は、図１で示すような構成としたが、施設監視装置１は、監視ポイント情報収集部１１と、操作受付部１５と、関連ポイント履歴抽出部１９とを備えることにより、上述したような効果が得られるものである。
【００５４】
なお、本願発明はその発明の範囲内において、実施の形態の任意の構成要素の変形、もしくは実施の形態の任意の構成要素の省略が可能である。
【符号の説明】
【００５５】
１  施設監視装置
１１  監視ポイント情報収集部
１２  変化有無判定部
１３  履歴データ記録部
１４  履歴印字部
１５  操作受付部
１６  履歴データ取得部
１７  グラフィックデータ取得部
１８  グラフィックデータ記録部
１９  関連ポイント履歴抽出部
２０  関連ポイント記録部
２１  画面生成部
２２  表示部
１０１  ＨＤＤ
１０２  メモリ
１０３  ＣＰＵ
１０４  モニタ
１０５  マウス
１０６  通信Ｉ／Ｆ装置
【図１】
2017010155.tif 000003
【図２】
2017010155.tif 000004
【図３】
2017010155.tif 000005
【図４】
2017010155.tif 000006
【図５】
2017010155.tif 000007
【図６】
2017010155.tif 000008
【図７】
2017010155.tif 000009
【図８】
2017010155.tif 000010
【図９】
2017010155.tif 000011
【図１０】
2017010155.tif 000012